(57)【要約】【課題】本発明は、他の種類、他の模様または他の色相などで変更することができる変更可能なかばんを提供することがその技術的課題である。【解決手段】このために、本発明の変更可能なかばんは、第１収容部を有する第１かばん胴体と、前記第１かばん胴体を収容する第２収容部を有する第２かばん胴体と、及び前記第２かばん胴体に収容された前記第１かばん胴体を前記第２かばん胴体に着脱可能に結合させる結合部を含む。【選択図】図１
2018525178.tif 000002
【特許請求の範囲】
【請求項１】
変更可能なかばんであり、
第１収容部を有する第１かばん胴体と、
前記第１かばん胴体を収容する第２収容部を有する第２かばん胴体と、及び
前記第２かばん胴体に収容された前記第１かばん胴体を前記第２かばん胴体に着脱可能に結合させる結合部と、を含む変更可能なかばん。
【請求項２】
前記結合部は、
前記第１かばん胴体の底と前記第２かばん胴体の底を着脱可能に結合させる底結合部を含むことを特徴とする請求項１に記載の変更可能なかばん。
【請求項３】
前記底結合部は、
前記第１かばん胴体の外側底面の第１部分に一端部が具備される底結合部材と、
前記第２かばん胴体の底面の第１部分に貫通されて前記底結合部材の他端部を前記第２かばん胴体の内部から外部で通過させる第１底通過ホールと、
前記第２かばん胴体の前記底面の第２部分に貫通されて前記第１底通過ホールを通過した前記底結合部材の前記他端部を前記第２かばん胴体の外部から内部に通過させる第２底通過ホールと、及び
前記第２底通過ホールをパスした前記底結合部材の前記他端部を前記第１かばん胴体の前記外側底面の第２部分に締結させる底締結口を含むことを特徴とする請求項１に記載の変更可能なかばん。
【請求項４】
前記結合部は、
前記第１かばん胴体の側面のうちで相対的に小さな幅の狭い側面と前記第２かばん胴体の側面のうちで相対的に小さな幅の狭い側面を着脱可能に結合させる狭い側面結合部を含むことを特徴とする請求項１に記載の変更可能なかばん。
【請求項５】
前記結合部は、
前記第１かばん胴体の側面のうちで相対的に小さな幅の狭い側面と前記第２かばん胴体の側面のうちで相対的に小さな幅の狭い側面を着脱可能に結合させる狭い側面結合部をさらに含むことを特徴とする請求項２に記載の変更可能なかばん。
【請求項６】
前記狭い側面結合部は、
前記第１かばん胴体の外側狭い側面に一端部が具備される第１狭い側面結合部材と、
前記第２かばん胴体の内側狭い側面に一端部が具備される第２狭い側面結合部材と、及び
前記第１狭い側面結合部材の他端部を前記第２狭い側面結合部材の他端部に締結させる狭い側面締結口を含むことを特徴とする請求項４または５に記載の変更可能なかばん。
【請求項７】
前記第１狭い側面結合部材の前記一端部は前記第１かばん胴体の前記外側狭い側面の上部に具備されて、
前記第２狭い側面結合部材の前記一端部は前記第２かばん胴体の前記内側狭い側面の下部に具備されることを特徴とする請求項６に記載の変更可能なかばん。
【請求項８】
前記狭い側面結合部は、
前記第１かばん胴体の外側狭い側面に一端部が具備される狭い側面結合部材と、
前記第２かばん胴体の外側狭い側面に具備されて前記狭い側面結合部材の他端部を通過させる狭い側面結合掛けがねと、及び
前記狭い側面結合掛けがねを通過した前記狭い側面結合部材の前記他端部を前記狭い側面結合部材の中間部に締結させる狭い側面締結口を含むことを特徴とする請求項４または５に記載の変更可能なかばん。
【請求項９】
前記狭い側面結合部は、
前記第１かばん胴体の外側上面に一端部が具備される狭い側面結合部材と、及び
前記狭い側面結合部材を前記第２かばん胴体の外側狭い側面に締結させる狭い側面締結口を含むことを特徴とする請求項４または５に記載の変更可能なかばん。
【請求項１０】
前記狭い側面結合部は、
前記第２かばん胴体の外側狭い側面に一端部が具備される狭い側面結合部材と、
前記第１かばん胴体の外側狭い側面に具備されて前記狭い側面結合部材の他端部を通過させる狭い側面結合掛けがねと、及び
前記狭い側面結合掛けがねを通過した前記狭い側面結合部材の前記他端部を前記狭い側面結合部材の中間部に締結させる狭い側面締結口を含むことを特徴とする請求項４または５に記載の変更可能なかばん。
【請求項１１】
前記狭い側面結合部は、
前記第１かばん胴体の外側狭い側面を前記第２かばん胴体の内側狭い側面に直接締結させる狭い側面締結口を含むことを特徴とする請求項４または５に記載の変更可能なかばん。
【請求項１２】
前記結合部は、
前記第１かばん胴体の側面のうちで相対的に大きい幅の広い側面と前記第２かばん胴体の側面のうちで相対的に大きい幅の広い側面を着脱可能に結合させる広い側面結合部を含むことを特徴とする請求項１に記載の変更可能なかばん。
【請求項１３】
前記結合部は、
前記第１かばん胴体の側面のうちで相対的に大きい幅の広い側面と前記第２かばん胴体の側面のうちで相対的に大きい幅の広い側面を着脱可能に結合させる広い側面結合部をさらに含むことを特徴とする請求項２に記載の変更可能なかばん。
【請求項１４】
前記結合部は、
前記第１かばん胴体の側面のうちで相対的に大きい幅の広い側面と前記第２かばん胴体の側面のうちで相対的に大きい幅の広い側面を着脱可能に結合させる広い側面結合部をさらに含むことを特徴とする請求項４に記載の変更可能なかばん。
【請求項１５】
前記結合部は、
前記第１かばん胴体の側面のうちで相対的に大きい幅の広い側面と前記第２かばん胴体の側面のうちで相対的に大きい幅の広い側面を着脱可能に結合させる広い側面結合部をさらに含むことを特徴とする請求項５に記載の変更可能なかばん。
【請求項１６】
前記広い側面結合部は、
前記第１かばん胴体の外側広い側面の第１部分に一端部が具備される広い側面結合部材と、
前記第２かばん胴体の広い側面の第１部分に貫通されて前記広い側面結合部材の他端部を前記第２かばん胴体の内部から外部に通過させる第１広い側面通過ホールと、
前記第２かばん胴体の前記広い側面の第２部分に貫通されて前記第１広い側面通過ホールを通過した前記広い側面結合部材の前記他端部を前記第２かばん胴体の外部から内部に通過させる第２広い側面通過ホールと、及び
前記第２広い側面通過ホールを通過した前記広い側面結合部材の前記他端部を前記第１かばん胴体の前記外側広い側面の第２部分に締結させる広い側面締結口を含むことを特徴とする請求項１２乃至１５のうちで何れか一項に記載の変更可能なかばん。
【請求項１７】
前記広い側面結合部は、
前記第１かばん胴体の外側広い側面を前記第２かばん胴体の内側広い側面に直接締結させる広い側面締結口を含むことを特徴とする請求項１２乃至１５のうちで何れか一項に記載の変更可能なかばん。
【請求項１８】
前記広い側面結合部は、
前記第１かばん胴体の外側上面に一端部が具備される広い側面結合部材と、及び
前記広い側面結合部材を前記第２かばん胴体の外側広い側面に締結させる広い側面締結口
を含むことを特徴とする請求項１２乃至１５のうちで何れか一項に記載の変更可能なかばん。
【発明の詳細な説明】
【技術分野】
【０００１】
発明は他の種類、他の模様または他の色相などで変更が可能なかばんに関するものである。
【背景技術】
【０００２】
一般に、かばんは、皮、布地、ビニル、人造皮革などでなされて品物を入れて持って通うのに便利に作られた用具であり、その形態によってパウチ（ｐｏｕｃｈ）、トートバッグ（ｔｏｔｅ  ｂａｇ）、ショルダーバッグ（ｓｈｏｕｌｄｅｒ  ｂａｇ）などがある。パウチはジッパーなどで開閉することもできて取っ手などがなくて簡便にバックに入れて通うか、またはわきの間に挟んで通うようにデザインされて、トートバッグは上部開放部を有してジッパーなどで上部開放部を開閉することもできて２個の取っ手があって手に持って通うことができるようにデザインされて、そしてショルダーバッグは上部開放部を持って覆いやジッパーなどで上部開放部を開閉することもできて肩紐があって肩にかけて通うようにデザインされる。
【０００３】
しかし、このようなかばんは種類、模様または色相などの変更が不可能に製作されていて個性が重要な現社会でかばんを自分の趣向どおりに変更させることができない問題がある。
【発明の開示】
【発明が解決しようとする課題】
【０００４】
本発明の技術的課題は、他の種類、他の模様または他の色相などに変更することができる変更可能なかばんを提供することにある。
【課題を解決するための手段】
【０００５】
前記目的を達成するために、本発明の実施例による変更可能なかばんは、第１収容部を有する第１かばん胴体と、前記第１かばん胴体を収容する第２収容部を有する第２かばん胴体と、及び前記第２かばん胴体に収容された前記第１かばん胴体を前記第２かばん胴体に着脱可能に結合させる結合部を含む。
【０００６】
一例で、前記結合部は、前記第１かばん胴体の底と前記第２かばん胴体の底を着脱可能に結合させる底結合部を含むことができる。
【０００７】
前記底結合部は、前記第１かばん胴体の外側底面の第１部分に一端部が具備される底結合部材と、前記第２かばん胴体の底面の第１部分に貫通されて前記底結合部材の他端部を前記第２かばん胴体の内部から外部に通過させる第１底通過ホールと、前記第２かばん胴体の前記底面の第２部分に貫通されて前記第１底通過ホールを通過した前記底結合部材の前記他端部を前記第２かばん胴体の外部から内部に通過させる第２底通過ホールと、及び前記第２底通過ホールを通過した前記底結合部材の前記他端部を前記第１かばん胴体の前記外側底面の第２部分に締結させる底締結口を含むことができる。
【０００８】
他の例で、前記結合部は、前記第１かばん胴体の側面のうちで相対的に小さな幅の狭い側面と前記第２かばん胴体の側面のうちで相対的に小さな幅の狭い側面を着脱可能に結合させる狭い側面結合部を含むことができる。
【０００９】
また他の例で、前記結合部は、前記第１かばん胴体の底と前記第２かばん胴体の底を着脱可能に結合させる底結合部と、及び前記第１かばん胴体の側面のうちで相対的に小さな幅の狭い側面と前記第２かばん胴体の側面のうちで相対的に小さな幅の狭い側面を着脱可能に結合させる狭い側面結合部を含むことができる。
【００１０】
一例で、前記狭い側面結合部は、前記第１かばん胴体の外側狭い側面に一端部が具備される第１狭い側面結合部材と、前記第２かばん胴体の内側狭い側面に一端部が具備される第２狭い側面結合部材と、及び前記第１狭い側面結合部材の他端部を前記第２狭い側面結合部材の他端部に締結させる狭い側面締結口を含むことができる。
【００１１】
前記第１狭い側面結合部材の前記一端部は前記第１かばん胴体の前記外側狭い側面の上部に具備されることができ、さらに、前記第２狭い側面結合部材の前記一端部は前記第２かばん胴体の前記内側狭い側面の下部に具備されることができる。
【００１２】
他の例で、前記狭い側面結合部は、前記第１かばん胴体の外側狭い側面に一端部が具備される狭い側面結合部材と、前記第２かばん胴体の外側狭い側面に具備されて前記狭い側面結合部材の他端部を通過させる狭い側面結合掛けがねと、及び前記狭い側面結合掛けがねを通過した前記狭い側面結合部材の前記他端部を前記狭い側面結合部材の中間部に締結させる狭い側面締結口を含むことができる。
【００１３】
また他の例で、前記狭い側面結合部は、前記第１かばん胴体の外側上面に一端部が具備される狭い側面結合部材と、及び前記狭い側面結合部材を前記第２かばん胴体の外側狭い側面に締結させる狭い側面締結口を含むことができる。
【００１４】
また他の例で、前記狭い側面結合部は、前記第２かばん胴体の外側狭い側面に一端部が具備される狭い側面結合部材と、前記第１かばん胴体の外側狭い側面に具備されて前記狭い側面結合部材の他端部を通過させる狭い側面結合掛けがねと、及び前記狭い側面結合掛けがねを通過した前記狭い側面結合部材の前記他端部を前記狭い側面結合部材の中間部に締結させる狭い側面締結口を含むことができる。
【００１５】
また他の例で、前記狭い側面結合部は、前記第１かばん胴体の外側狭い側面を前記第２かばん胴体の内側狭い側面に直接締結させる狭い側面締結口を含むことができる。
【００１６】
また他の例で、前記結合部は、前記第１かばん胴体の側面のうちで相対的に大きい幅の広い側面と前記第２かばん胴体の側面のうちで相対的に大きい幅の広い側面を着脱可能に結合させる広い側面結合部を含むことができる。
【００１７】
また他の例で、前記結合部は、前記第１かばん胴体の底と前記第２かばん胴体の底を着脱可能に結合させる底結合部と、及び前記第１かばん胴体の側面のうちで相対的に大きい幅の広い側面と前記第２かばん胴体の側面のうちで相対的に大きい幅の広い側面を着脱可能に結合させる広い側面結合部を含むことができる。
【００１８】
また他の例で、前記結合部は、前記第１かばん胴体の側面のうちで相対的に小さな幅の狭い側面と前記第２かばん胴体の側面のうちで相対的に小さな幅の狭い側面を着脱可能に結合させる狭い側面結合部と、及び前記第１かばん胴体の側面のうちで相対的に大きい幅の広い側面と前記第２かばん胴体の側面のうちで相対的に大きい幅の広い側面を着脱可能に結合させる広い側面結合部を含むことができる。
【００１９】
また他の例で、前記結合部は、前記第１かばん胴体の底と前記第２かばん胴体の底を着脱可能に結合させる底結合部と、前記第１かばん胴体の側面のうちで相対的に小さな幅の狭い側面と前記第２かばん胴体の側面のうちで相対的に小さな幅の狭い側面を着脱可能に結合させる狭い側面結合部と、及び前記第１かばん胴体の側面のうちで相対的に大きい幅の広い側面と前記第２かばん胴体の側面のうちで相対的に大きい幅の広い側面を着脱可能に結合させる広い側面結合部を含むことができる。
【００２０】
一例で、前記広い側面結合部は、前記第１かばん胴体の外側広い側面の第１部分に一端部が具備される広い側面結合部材と、前記第２かばん胴体の広い側面の第１部分に貫通されて前記広い側面結合部材の他端部を前記第２かばん胴体の内部から外部に通過させる第１広い側面通過ホールと、前記第２かばん胴体の前記広い側面の第２部分に貫通されて前記第１広い側面通過ホールを通過した前記広い側面結合部材の前記他端部を前記第２かばん胴体の外部から内部に通過させる第２広い側面通過ホールと、及び前記第２広い側面通過ホールを通過した前記広い側面結合部材の前記他端部を前記第１かばん胴体の前記外側広い側面の第２部分に締結させる広い側面締結口を含むことができる。
【００２１】
他の例で、前記広い側面結合部は、前記第１かばん胴体の外側広い側面を前記第２かばん胴体の内側広い側面に直接締結させる広い側面締結口を含むことができる。
【００２２】
また他の例で、前記広い側面結合部は、前記第１かばん胴体の外側上面に一端部が具備される広い側面結合部材と、及び前記広い側面結合部材を前記第２かばん胴体の外側広い側面に締結させる広い側面締結口を含むことができる。
【発明の効果】
【００２３】
以上のような本発明の実施例による変更可能なかばんは次のような効果を有することができる。
【００２４】
本発明の実施例によれば、第１かばん胴体と、第２かばん胴体と、そして結合部を含む技術構成を提供するので、第１及び第２かばん胴体をそれぞれ使用するか、または第１及び第２かばん胴体を結合して使用するか、または第１かばん胴体に他の色の第２かばん胴体を結合して使用するなどさまざまな印象のかばん、すなわち他の種類、他の模様、他の色相などのかばんに変更させることができ、個性が重要な現社会で個性追求ができる。
【００２５】
特に、本発明の実施例によれば、倫理的消費、持続可能なファッション、そして合理的消費を達成することができる。例えば、ファッションの本質は変化を追い求めることであり、一つの形態のかばんで多様な機能が可能で虚栄された消費を減らすことができるし、製品のフレンドシップ（ｆｒｉｅｎｄ  ｓｈｉｐ）をはかって新しい消費文化をリードすることができるし、そして多様な顧客ニーズ（ｎｅｅｄｓ）に復興することができるし消費者の選択幅を広げてくれることができる。ひいては、既存のかばんは材質、カラー、重さなどが限定されているが、本発明の変更可能なかばんは選択による材質、カラー、形態、重さなどを多様にカスタムメイド（ｃｕｓｔｏｍ  ｍａｄｅ）することができ、易しくて早いオーダーメイド（ｏｒｄｅｒ  ｍａｄｅ）が形成されることができる。また、本発明の変更可能なかばんは天気変化、気持ち変化、内容物（品物）の特性などによってかばんを変更させることができる。また、既存のかばんは外皮にシングを重ねて当てて裏地を一緒に縫製して一体型で作われるが、本発明の変更可能なかばんは分離させて入れ替え可能な機能を持ったかばんで様変りできる。また、誰も易しく合理的な費用で多様なスタイルを変化に合うように創造して経験することができるし、易しくて簡便な結合部の採用ですべての人が使用できる。また、流行に敏感な今日日既存のかばんは代案になることができないが、本発明の変更可能なかばんは消費者の趣向をおさめるようにして時代に合うように絶えず変化を収容しながらも固有の形態を維持することができるなど楽で慣れるように使われることができてさらに長期間所有することができる。また、本発明の実施例によれば、作業工程による分業化が可能で生産量を効率的に高めることができる。
【図面の簡単な説明】
【００２６】
【図１】図１は本発明の第１実施例による変更可能なかばんを概略的に示した分解図である。
【図２】図２は底結合部の一例を示したものであり、（ａ）は第１かばん胴体の底面を示した図面であり、（ｂ）は第２かばん胴体の底面を示した図面である。
【図３】図３は図２の底結合部によって第１及び第２かばん胴体が結合された状態で第２かばん胴体の底面を示した図面である。
【図４】図４は図３の底結合部によって第１及び第２かばん胴体が結合された状態を概略的に示した要部断面図である。
【図５】図５は底結合部の他の例を示したものであり、（ａ）は第１かばん胴体の底面を示した図面であり、（ｂ）は第２かばん胴体の底面を示した図面である。
【図６】図６は図５の底結合部によって第１及び第２かばん胴体が結合された状態で第２かばん胴体の底面を眺めた図面である。
【図７】図７は底結合部のまた他の例を示したものであり、（ａ）は第１かばん胴体の底面を示した図面であり、（ｂ）は第２かばん胴体の底面を示した図面である。
【図８】図８は図７の底結合部によって第１及び第２かばん胴体が結合された状態で第２かばん胴体の底面を示した図面である。
【図９】図９は本発明の第２実施例による変更可能なかばんが結合される過程を概略的に示した分解図である。
【図１０】図１０は狭い側面結合部の一例を示したものであり、（ａ）は第１かばん胴体の外側狭い側面を示した図面であり、（ｂ）は第２かばん胴体の内側狭い側面を示した図面である。
【図１１】図１１は図１０の狭い側面結合部によって第１及び第２かばん胴体が結合された状態を概略的に示した要部断面図である。
【図１２】図１２は他の例の狭い側面結合部によって第１及び第２かばん胴体が結合された状態を概略的に示した要部断面図である。
【図１３】図１３は図１２の狭い側面結合部によって第１及び第２かばん胴体が結合された状態で第２かばん胴体の外側狭い側面を眺めた図面である。
【図１４】図１４はまた他の例の狭い側面結合部によって第１及び第２かばん胴体が結合された状態を概略的に示した要部断面図である。
【図１５】図１５は図１４の狭い側面結合部によって第１及び第２かばん胴体が結合された状態で第２かばん胴体の外側狭い側面を眺めた図面である。
【図１６】図１６はまた他の例の狭い側面結合部によって第１及び第２かばん胴体が結合された状態を概略的に示した要部断面図である。
【図１７】図１７はまた他の例の狭い側面結合部によって第１及び第２かばん胴体が結合された状態を概略的に示した要部断面図である。
【図１８】図１８は本発明の第３実施例による変更可能なかばんが結合される過程を概略的に示した分解図である。
【図１９】図１９は広い側面結合部の一例を示したものであり、（ａ）は第１かばん胴体の外側広い側面を示した図面であり、（ｂ）は第２かばん胴体の外側広い側面を示した図面である。
【図２０】図２０は図１９の広い側面結合部によって第１及び第２かばん胴体が結合された状態で第２かばん胴体の外側広い側面を眺めた図面である。
【図２１】図２１は他の例の広い側面結合部によって第１及び第２かばん胴体が結合された状態を概略的に示した要部断面図である。
【図２２】図２２はまた他の例の広い側面結合部によって第１及び第２かばん胴体が結合された状態を概略的に示した要部断面図である。
【図２３】図２３は図２２の広い側面結合部によって第１及び第２かばん胴体が結合された状態で第２かばん胴体の外側広い側面を眺めた図面である。
【発明を実施するための形態】
【００２７】
以下、添付した図面を参照して本発明の実施例に対して本発明が属する技術分野で通常の知識を持った者が容易に実施できるように詳しく説明する。しかし、本発明はいくつかの相異な形態で具現されることができるし、ここで説明する実施例に限定されない。
【００２８】
図１は、本発明の第１実施例による変更可能なかばんを概略的に示した分解図であり、図２は底結合部の一例を示したものであり、（ａ）は第１かばん胴体の底面を示した図面であり、（ｂ）は第２かばん胴体の底面を示した図面であり、図３は図２の底結合部によって第１及び第２かばん胴体が結合された状態で第２かばん胴体の底面を示した図面であり、そして、図４は図３の底結合部によって第１及び第２かばん胴体が結合された状態を概略的に示した要部断面図である。
【００２９】
本発明の第１実施例による変更可能なかばんは、図１乃至図４に示されたように、第１かばん胴体１１０と、第２かばん胴体１２０と、そして結合部（Ｅ１）を含む。以下、図１乃至図４を続いて参照し、各構成要素を詳しく説明する。
【００３０】
第１かばん胴体１１０は第１収容部（図示せず）を有する。例えば、図１に示されたように、第１かばん胴体１１０は取っ手などがないパウチ（ｐｏｕｃｈ）の形態などを有することができる。ひいては、第１かばん胴体１１０は第１収容部（図示せず）と連通されて側面と上面をぞくぞく開放する第１上部開放部（１１１参照）と、第１上部開放部を開閉するジッパー１１１をさらに有することができる。
【００３１】
特に、第１かばん胴体１１０が第２かばん胴体１２０に結合されない状態では第１かばん胴体１１０をパウチ形態で使用することもできる。ひいては、第１かばん胴体１１０は第２かばん胴体１２０と結合時より多様な印象を提供できるように多様な色相で準備されることができる。
【００３２】
第２かばん胴体１２０は、図１に示されたように、第１かばん胴体１１０を収容する第２収容部（図示せず）を有する。ひいては、図１に示されたように、第１上部開放部（１１１参照）に相応するように、即ち、第１かばん胴体１１０のジッパー１１１が外部に露出するように、側面と上面が続いて開放された第２上部開放部１２２をさらに含むことができる。よって、第２上部開放部１２２を通じて使用者は第１かばん胴体１１０のジッパー１１１を開閉することができる。
【００３３】
また、第２かばん胴体１２０は、図１に示されたように下部角開放部１２３をさらに含むことができる。下部角開放部１２３は、第１かばん胴体１１０が第２収容部１２１に収容されれば第１かばん胴体１１０の下部角が外部で見えるように第２かばん胴体１２０の下部角に貫通されて形成されることができる。よって、第２かばん胴体１２０に第１かばん胴体１１０が結合時下部角開放部１２３を通じてより多様な印象を提供することができる。
【００３４】
一方、第２かばん胴体１２０は、一例で図１に示されたように取っ手が付いているトートバッグタイプを有することもでき、他の例で図示されなかったが肩紐が付いているショルダーバッグタイプを有することもでき、また他の例に図示されなかったが取っ手や肩紐がないパウチタイプを有することもできる。よって、第１かばん胴体１１０を収容しない状態や第１かばん胴体１１０を収容した状態でトートバッグ、ショルダーバッグ、またはパウチで第２かばん胴体１２０を使用することもできる。
【００３５】
結合部（Ｅ１）は、図２乃至図４に示されたように、第２かばん胴体１２０に収容された第１かばん胴体１１０を第２かばん胴体１２０に着脱可能に結合させる役割をする。例えば、結合部（Ｅ１）は、第１かばん胴体１１０の底と第２かばん胴体１２０の底を着脱可能に結合させる底結合部１３０を含むことができる。
【００３６】
底結合部１３０は、図２乃至図４に示されたように、底結合部材１３１、第１底通過ホール１３３、第２底通過ホール１３４、そして底締結口１３２を含むことができる。
【００３７】
底結合部材１３１は帯形状を有して第１かばん胴体１１０の外側底面の第１部分にその一端部が返し縫い（Ｐ）などを通じて具備されることができるし、第１底通過ホール１３３は第２かばん胴体１２０の底面の第１部分に貫通されて底結合部材１３１の他端部を第２かばん胴体１２０の内部から外部に通過させることができるし、第２底通過ホール１３４は第２かばん胴体１２０の底面の第２部分に貫通されて第１底通過ホール１３３を通過した底結合部材１３１の他端部を第２かばん胴体１２０の外部から内部に通過させることができるし、そして底締結口１３２は第２底通過ホール１３４を通過した底結合部材１３１の他端部を第１かばん胴体１１０の外側底面の第２部分に締結させることができる。
【００３８】
ひいては、底締結口１３２は、一例で図４に示されたように、底結合部材１３１の他端部に具備される凹面を有する雌ボタン１３２aと雌ボタン１３２aに相応するように第１かばん胴体１１０の底面に具備される凸面を有する雄ボタン１３２bを含むスナップファスナー（ｓｎａｐ  ｆａｓｔｅｎｅｒ）１３２であることもあって、他の例で示されなかったが雌ボタン１３２aが第１かばん胴体１１０の底面に具備され、雄ボタン１３２bがパッチ部材１３１の他端部に具備されることもでき、また他の例で図示されなかったが雌ボタン１３２aの代わりに第１磁石と雄ボタン１３２bの代わりに第１磁石と反対極性を有する第２磁石を含む磁性固定体であることもでき、また他の例で図示されなかったがベルクロ（登録商標）（Ｖｅｌｃｒｏ）であることもあって、また他の例で示されなかったがバックル（ｂｕｃｋｌｅ）であることもある。
【００３９】
したがって、使用者が底結合部材１３１を第１底通過ホール１３３に通過させ、そしてから底締結口１３２を第２底通過ホール１３４に通過させ、底締結口１３２を締結すれば、第１かばん胴体１１０が第２かばん胴体１２０に締結されることができる。
【００４０】
また、底結合部材１３１は、第１かばん胴体１１０が第２かばん胴体１２０に結合される前には図１に示されたように第１かばん胴体１１０に直接締結されて第１かばん胴体１１０の底面が外部物体（図示せず）に載せられる場合第１かばん胴体１１０の底面が外部物体に直接触れて汚なくなることを防止する役割を兼ねることができるし、第１かばん胴体１１０が第２かばん胴体１２０に結合された後には図１に示されたように第２かばん胴体１２０の底面と段差になった形態を有して第２かばん胴体１２０の底面が外部物体（図示せず）に載せられる場合第２かばん胴体１２０の底面が外部物体に直接触れて汚なくなることを防止する役割を兼ねることができる。
【００４１】
前述したように、第１かばん胴体１１０と、第２かばん胴体１２０と、そして底結合部１３０を含む技術構成を提供するので、第１及び第２かばん胴体１１０、１２０をそれぞれ使用するか、または第１及び第２かばん胴体１１０、１２０を結合して使用するか、または第１かばん胴体１１０に他の色の第２かばん胴体１２０を結合して使用するなどさまざまの印象のかばん、すなわち、他の種類、他の模様、他の色相などのかばんに変更させることができ、個性が重要な現社会で個性追求ができる。ひいては、第１かばん胴体１１０の一端部が固定された底結合部材１３１が第２かばん胴体１２０を通過して第１かばん胴体１１０に締結される方式の底結合部１３０を提供するので、第１及び第２かばん胴体１１０、１２０を確固に締結することができる。
【００４２】
以下、図５及び図６を参照して、本発明の第１実施例の変形例による変更可能なかばんを説明する。
【００４３】
図５は、底結合部の他の例を示したものであり、（ａ）は第１かばん胴体の底面を示した図面であり、（ｂ）は第２かばん胴体の底面を示した図面であり、図６は図５の底結合部によって第１及び第２かばん胴体が結合された状態で第２かばん胴体の底面を眺めた図面である。
【００４４】
本発明の第１実施例の変形例による変更可能なかばんは、図５及び図６に示されたように、底結合部１１３０の位置を除き上述した本発明の第１実施例と等しいので、以下では底結合部１１３０の位置を主として説明する。
【００４５】
図５及び図６に示されたように、底結合部材１１３１は第１かばん胴体１１０の底面の長さ方向を横切って置かれるが、その一端部が第１かばん胴体１１０の外側底面のうちで第１広い側面に隣接した部分に固定されることができるし、その他端部が第１かばん第１かばん胴体１１０の外側底面のうちで第２広い側面に隣接した部分に位置されることができる。第１及び第２底通過ホール１１３３、１１３４は第２かばん胴体１２０の底面のうち第１及び第２広い側面に隣接した部分にそれぞれ形成されることができる。
【００４６】
以下、図７及び図８を参照して、本発明の第１実施例の他の変形例による変更可能なかばんを説明する。
【００４７】
図７は、底結合部のまた他の例を示したものであり、（ａ）は第１かばん胴体の底面を示した図面であり、（ｂ）は第２かばん胴体の底面を示した図面であり、図８は、図７の底結合部によって第１及び第２かばん胴体が結合された状態で第２かばん胴体の底面を示した図面である。
【００４８】
本発明の第１実施例の他の変形例による変更可能なかばんは、図７及び図８に示されたように、底結合部２１３０の位置を除き上述した本発明の第１実施例と等しいので、以下では底結合部２１３０の位置を主として説明する。
【００４９】
図７及び図８に示されたように、底結合部材２１３１は第１かばん胴体１１０の底面の長さ方向に置かれるが、その一端部が第１かばん胴体１１０の外側底面の第１部分に固定されることができるし、その他端部が第１かばん胴体１１０の外側底面の第２部分に固定されることができる。第１及び第２底通過ホール２１３３、２１３４は第２かばん胴体１２０の底面のうちで第１及び第２部分にそれぞれ形成されることができる。
【００５０】
以下、図９乃至図１１を参照して、本発明の第２実施例による変更可能なかばん２００を説明する。
【００５１】
図９は、本発明の第２実施例による変更可能なかばんが結合される過程を概略的に示した分解図であり、図１０は狭い側面結合部の一例を示したものであり、（ａ）は第１かばん胴体の外側狭い側面を示した図面であり、（ｂ）は第２かばん胴体の内側狭い側面を示した図面であり、そして、図１１は、図１０の狭い側面結合部によって第１及び第２かばん胴体が結合された状態を概略的に示した要部断面図である。
【００５２】
本発明の第２実施例による変更可能なかばん２００は、図９乃至図１１に示されたように、結合部（Ｅ２）を除き上述した本発明の第１実施例と等しいので、以下では結合部（Ｅ２）の位置を主として説明する。
【００５３】
結合部（Ｅ２）は、第１かばん胴体２１０の側面のうちで相対的に小さな幅の狭い側面と第２かばん胴体２２０の側面のうちで相対的に小さな幅の狭い側面を着脱可能に結合させる狭い側面結合部２３０を含むことができる。
【００５４】
狭い側面結合部２３０は、図１０及び図１１に示されたように、第１狭い側面結合部材２３１、第２狭い側面結合部材２３２、そして狭い側面締結口２３３を含むことができる。第１狭い側面結合部材２３１は第１かばん胴体２１０の外側狭い側面にその一端部が具備されることができるし、第２狭い側面結合部材２３２は第２かばん胴体２２０の内側狭い側面にその一端部が具備されることができるし、そして狭い側面締結口２３３は第１狭い側面結合部材２３１の他端部を第２狭い側面結合部材２３２の他端部に締結させることができる。
【００５５】
特に、第１狭い側面結合部材２３１の一端部は第１かばん胴体２１０の外側狭い側面の上部に具備されることができるし、第２狭い側面結合部材２３２の一端部は第２かばん胴体２２０の前記内側狭い側面の下部に具備されることができる。よって、第１かばん胴体２１０が第２かばん胴体２２０から分離されて使用されても第１狭い側面結合部材２３１が上から下に垂れるようになってデザイン側面で一つの飾り物で見られる利点がある。
【００５６】
ひいては、狭い側面締結口２３３は、一例で図１０に示されたように、第１狭い側面結合部材２３１に具備される雌ベルクロ（登録商標）（一名、柔らかい方）２３３aと、第２狭い側面結合部材２３２に具備される雄ベルクロ（登録商標）（一名、ガサガサした方）２３３bを含むベルクロ（登録商標）（Ｖｅｌｃｒｏ）であることもあって、他の例で示されなかったがスナップファスナー（ｓｎａｐ  ｆａｓｔｅｎｅｒ）であることもあって、また他の例で示されなかったが磁力を利用した磁性固定体であることもできて、また他の例で示されなかったがバックル（ｂｕｃｋｌｅ）であることもある。
【００５７】
以下、図１２及び図１３を参照して、本発明の第２実施例の変形例による変更可能なかばんを説明する。
【００５８】
図１２は、他の例の狭い側面結合部によって第１及び第２かばん胴体が結合された状態を概略的に示した要部断面図であり、図１３は、図１２の狭い側面結合部によって第１及び第２かばん胴体が結合された状態で第２かばん胴体の外側狭い側面を眺めた図面である。
【００５９】
本発明の第２実施例の変形例による変更可能なかばんは、図１２及び図１３に示されたように、狭い側面結合部１２３０を除き上述した本発明の第２実施例と等しいので、以下では狭い側面結合１２３０の位置を主として説明する。
【００６０】
狭い側面結合部１２３０は、図１２及び図１３に示されたように、狭い側面結合部材１２３１、狭い側面結合掛けがね１２３２、そして狭い側面締結口１２３３を含むことができる。狭い側面結合部材１２３１は第１かばん胴体２１０の外側狭い側面にその一端部が具備されることができるし、狭い側面結合掛けがね１２３２は第２かばん胴体２２０の外側狭い側面に具備されて狭い側面結合部材１２３１の他端部を通過させることができるし、そして狭い側面締結口１２３３は狭い側面結合掛けがね１２３２を通過した狭い側面結合部材１２３１の他端部を狭い側面結合部材１２３１の中間部に締結させることができる。
【００６１】
ここで、狭い側面締結口１２３３は上述した本発明の第２実施例に言及された狭い側面締結口２３３と等しいので具体的な説明は省略する。
【００６２】
以下、図１４及び図１５を参照して、本発明の第２実施例の他の変形例による変更可能なかばんを説明する。
【００６３】
図１４は、また他の例の狭い側面結合部によって第１及び第２かばん胴体が結合された状態を概略的に示した要部断面図であり、図１５は図１４の狭い側面結合部によって第１及び第２かばん胴体が結合された状態で第２かばん胴体の外側狭い側面を眺めた図面である。
【００６４】
本発明の第２実施例の他の変形例による変更可能なかばんは、図１４及び図１５に示されたように、狭い側面結合部２２３０を除き上述した本発明の第２実施例と等しいので、以下では狭い側面結合２２３０の位置を主として説明する。
【００６５】
狭い側面結合部２２３０は、図１４及び図１５に示されたように、狭い側面結合部材２２３１と狭い側面締結口２２３２を含むことができる。狭い側面結合部材２２３１は第１かばん胴体２１０の外側上面にその一端部が具備されることができるし、狭い側面締結口２２３２は狭い側面結合部材２２３１を第２かばん胴体２２０の外側狭い側面に締結させることができる。
【００６６】
ここで、第１かばん胴体２１０が第２かばん胴体２２０から分離される場合狭い側面結合部材２２３１は第１かばん胴体２１０の取っ手の役割をすることができる。また、狭い側面締結口２２３２は上述した本発明の第２実施例に言及された狭い側面締結口２３３と等しいので具体的な説明は省略する。
【００６７】
以下、図１６を参照して、本発明の第２実施例のまた他の変形例による変更可能なかばんを説明する。
【００６８】
図１６はまた他の例の狭い側面結合部によって第１及び第２かばん胴体が結合された状態を概略的に示した要部断面図である。
【００６９】
本発明の第２実施例のまた他の変形例による変更可能なかばんは、図１６に示されたように、狭い側面結合部３２３０を除き上述した本発明の第２実施例と等しいので、以下では狭い側面結合３２３０の位置を主として説明する。
【００７０】
狭い側面結合部３２３０は、図１６に示されたように、狭い側面結合部材３２３１、狭い側面結合掛けがね３２３２、そして狭い側面締結口３２３３を含むことができる。狭い側面結合部材３２３１は第２かばん胴体２２０の外側狭い側面にその一端部が具備されることができるし、狭い側面結合掛けがね３２３２は第１かばん胴体２１０の外側狭い側面に具備されて狭い側面結合部材３２３１の他端部を通過させることができるし、そして狭い側面締結口３２３３は狭い側面結合掛けがね３２３２を通過した狭い側面結合部材３２３１の他端部を狭い側面結合部材３２３１の中間部に締結させることができる。
【００７１】
ここで、狭い側面締結口３２３３は上述した本発明の第２実施例に言及された狭い側面締結口２３３と等しいので具体的な説明は省略する。
【００７２】
以下、図１７を参照して、本発明の第２実施例のまた他の変形例による変更可能なかばんを説明する。
【００７３】
図１７は、また他の例の狭い側面結合部によって第１及び第２かばん胴体が結合された状態を概略的に示した要部断面図である。
【００７４】
本発明の第２実施例のまた他の変形例による変更可能なかばんは、図１７に示されたように、狭い側面結合部４２３０を除き上述した本発明の第２実施例と等しいので、以下では狭い側面結合４２３０の位置を主として説明する。
【００７５】
狭い側面結合部４２３０は、図１７に示されたように、第１かばん胴体２１０の外側狭い側面を第２かばん胴体２２０の内側狭い側面に直接締結させる狭い側面締結口４２３１を含むことができる。
【００７６】
ここで、狭い側面締結口４２３１は上述した本発明の第２実施例に言及された狭い側面締結口２３３と等しいので具体的な説明は省略する。
【００７７】
以下、図１８乃至図２０を参照して、本発明の第３実施例による変更可能なかばん３００を説明する。
【００７８】
図１８は、本発明の第３実施例による変更可能なかばんが結合される過程を概略的に示した分解図であり、図１９は広い側面結合部の一例を示したものであり、（ａ）は第１かばん胴体の外側広い側面を示した図面であり、（ｂ）は第２かばん胴体の外側広い側面を示した図面であり、そして、図２０は、図１９の広い側面結合部によって第１及び第２かばん胴体が結合された状態で第２かばん胴体の外側広い側面を眺めた図面である。
【００７９】
本発明の第３実施例による変更可能なかばん３００は、図１８乃至図２０に示されたように、結合部（Ｅ３）を除き上述した本発明の第１実施例と等しいので、以下では結合部（Ｅ３）の位置を主として説明する。
【００８０】
結合部（Ｅ３）は、第１かばん胴体３１０の側面のうちで相対的に大きい幅の広い側面と第２かばん胴体３２０の側面のうちで相対的に大きい幅の広い側面を着脱可能に結合させる広い側面結合部３３０を含むことができる。
【００８１】
広い側面結合部３３０は、図１８乃至図２０に示されたように、広い側面結合部材３３１、第１広い側面通過ホール３３２、第２広い側面通過ホール３３３、そして広い側面締結口３３４を含むことができる。広い側面結合部材３３１は第１かばん胴体３１０の外側広い側面の第１部分にその一端部が具備されることができるし、第１広い側面通過ホール３３２は第２かばん胴体３２０の広い側面の第１部分に貫通されて広い側面結合部材３３１の他端部を第２かばん胴体３２０の内部から外部に通過させることができるし、第２広い側面通過ホール３３３は第２かばん胴体３２０の広い側面の第２部分に貫通されて第１広い側面通過ホール３３２を通過した広い側面結合部材３３１の他端部を第２かばん胴体３２０の外部から内部に通過させることができるし、そして広い側面締結口３３４は第２広い側面通過ホール３３３を通過した広い側面結合部材３３１の他端部を第１かばん胴体３１０の外側広い側面の第２部分に締結させることができる。
【００８２】
ひいては、広い側面締結口３３４は、一例で示されなかったが、広い側面結合部材３３１に具備される雌ベルクロ（登録商標）（柔らかい方）と第１かばん胴体３１０の外側広い側面の第２部分に具備される雄ベルクロ（登録商標）（ガサガサした方）を含むベルクロ（登録商標）（Ｖｅｌｃｒｏ）であることもあって、他の例で示されなかったがスナップファスナー（ｓｎａｐ  ｆａｓｔｅｎｅｒ）であることもあって、また他の例で示されなかったが磁力を利用した磁性固定体であることもできて、また他の例で示されなかったがバックル（buckle）であることもある。
【００８３】
以下、図２１を参照して、本発明の第３実施例の変形例による変更可能なかばんを説明する。
【００８４】
図２１は、他の例の広い側面結合部によって第１及び第２かばん胴体が結合された状態を概略的に示した要部断面図である。
【００８５】
本発明の第３実施例の変形例による変更可能なかばんは、図２１に示されたように、広い側面結合部１３３０を除き上述した本発明の第３実施例と等しいので、以下では広い側面結合１３３０の位置を主として説明する。
【００８６】
広い側面結合部１３３０は、図２１に示されたように、第１かばん胴体３１０の外側広い側面を第２かばん胴体３２０の内側広い側面に直接締結させる広い側面締結口１３３１を含むことができる。
【００８７】
ここで、広い側面締結口１３３１は上述した本発明の第３実施例に言及された広い側面締結口３３４と等しいので具体的な説明は省略する。
【００８８】
以下、図２２及び図２３を参照して、本発明の第３実施例の他の変形例による変更可能なかばんを説明する。
【００８９】
図２２は、また他の例の広い側面結合部によって第１及び第２かばん胴体が結合された状態を概略的に示した要部断面図であり、図２３は、図２２の広い側面結合部によって第１及び第２かばん胴体が結合された状態で第２かばん胴体の外側広い側面を眺めた図面である。
【００９０】
本発明の第３実施例の他の変形例による変更可能なかばんは、図２２及び図２３に示されたように、広い側面結合部２３３０を除き上述した本発明の第３実施例と等しいので、以下では広い側面結合２３３０の位置を主として説明する。
【００９１】
広い側面結合部２３３０は、図２２及び図２３に示されたように、広い側面結合部材２３３１と広い側面締結口２３３２を含むことができる。広い側面結合部材２３３１は第１かばん胴体３１０の外側上面にその一端部が具備されることができるし、広い側面締結口２３３２は広い側面結合部材２３３１を第２かばん胴体３２０の外側広い側面に締結させることができる。
【００９２】
ここで、第１かばん胴体３１０が第２かばん胴体３２０から分離される場合広い側面結合部材２３３１は第１かばん胴体３１０の取っ手の役割をすることができる。また、広い側面締結口２３３２は上述した本発明の第３実施例に言及された広い側面締結口３３４と等しいので具体的な説明は省略する。
【００９３】
一方、必要によって、前述した本発明の第１実施例に言及された底結合部と第２実施例に言及された狭い側面結合部を共に使用することもできて、前述した本発明の第１実施例に言及された底結合部と第３実施例に言及された広い側面結合部を共に使用することもでき、前述した本発明の第２実施例に言及された狭い側面結合部と第３実施例に言及された広い側面結合部を共に使用することもでき、また、上述した本発明の第１実施例に言及された底結合部と第２実施例に言及された狭い側面結合部と第３実施例に言及された広い側面結合部を共に使用することもできるであろう。
【００９４】
以上で本発明の望ましい実施例に対して詳細に説明したが、本発明の権利範囲はこれに限定されるものではなく、次の請求範囲で定義している本発明の基本概念を利用した当業者のいくつかの変形及び改良形態も本発明の権利範囲に属するものである。
【産業上の利用可能性】
【００９５】
本発明は、変更可能なかばんに関するものであるので、産業上利用可能性がある。
【図１】
2018525178.tif 000003
【図２（ａ）】
2018525178.tif 000004
【図２（ｂ）】
2018525178.tif 000005
【図３】
2018525178.tif 000006
【図４】
2018525178.tif 000007
【図５（ａ）】
2018525178.tif 000008
【図５（ｂ）】
2018525178.tif 000009
【図６】
2018525178.tif 000010
【図７（ａ）】
2018525178.tif 000011
【図７（ｂ）】
2018525178.tif 000012
【図８】
2018525178.tif 000013
【図９】
2018525178.tif 000014
【図１０（ａ）】
2018525178.tif 000015
【図１０（ｂ）】
2018525178.tif 000016
【図１１】
2018525178.tif 000017
【図１２】
2018525178.tif 000018
【図１３】
2018525178.tif 000019
【図１４】
2018525178.tif 000020
【図１５】
2018525178.tif 000021
【図１６】
2018525178.tif 000022
【図１７】
2018525178.tif 000023
【図１８】
2018525178.tif 000024
【図１９（ａ）】
2018525178.tif 000025
【図１９（ｂ）】
2018525178.tif 000026
【図２０】
2018525178.tif 000027
【図２１】
2018525178.tif 000028
【図２２】
2018525178.tif 000029
【図２３】
2018525178.tif 000030
【国際調査報告】
2018525178.tif 000031
2018525178.tif 000032
2018525178.tif 000033
2018525178.tif 000034